(57)【特許請求の範囲】
【請求項１】
第１のアンテナシステムを通して第１のセルのためのカバレージを提供するための手段と、
第２のアンテナシステムを通して第２のセルのためのカバレージを提供するための手段と、
前記第１および第２のアンテナシステムを使用した前記第１のセル中のモバイルデバイスへの送信用にデータを処理するための手段と、
前記第１および第２のセルへの送信用に、それぞれ、第１および第２の基準信号を生成するための手段と、
前記第１および第２の基準信号が衝突しない場合、前記第１のセルへ送信するための前記データをパンクチャするための手段と、
前記第１および第２の基準信号が衝突する場合、前記第１の基準信号をパンクチャするための手段と、
を備える、ワイヤレス通信のための装置であって、
前記装置は、異なるサブフレームにわたって前記パンクチャすることを実行する。
【請求項２】
前記データを処理するための手段は、送信用に前記データを処理するために前記第１のアンテナシステムと前記モバイルデバイスとの間の第１のチャネル推定値と、前記第２のアンテナシステムと前記モバイルデバイスとの間の第２のチャネル推定値とを使用する、
請求項１に記載の装置。
【請求項３】
前記モバイルデバイスから前記第１および第２のチャネル推定値を受信するための手段をさらに備える、
請求項２に記載の装置。
【請求項４】
前記モバイルデバイスが前記第２の基準信号から前記第２のチャネル推定値を生成できるように、前記パンクチャする手段が、前記第１のセルへの送信用にデータをパンクチャする時に、前記第１および第２のセルへの送信用に、それぞれ、衝突しない第１および第２の基準信号を生成するための手段をさらに備える、
請求項２に記載の装置。
【請求項５】
前記モバイルデバイスが前記第２の基準信号から前記第２のチャネル推定値を生成できるように、前記パンクチャする手段が、前記第１の基準信号をパンクチャする時に、前記第１および第２のセルへの送信用に、それぞれ、衝突する第１および第２の基準信号を生成するための手段をさらに備える、
請求項２に記載の装置。
【請求項６】
前記データを処理するための手段は、前記第１および第２のアンテナシステムを通して前記モバイルデバイスに複数の空間ストリームを送信するために前記データを処理する、
請求項１に記載の装置。
【請求項７】
前記データを処理するための手段は、前記第１および第２のアンテナシステムを通して前記モバイルデバイスに前記データを送信するためのビームパターンを形成するために前記データを処理する、
請求項１に記載の装置。
【請求項８】
前記データを処理するための手段は、干渉を低減するために空間次元を利用する、
請求項１に記載の装置。
【請求項９】
前記データを処理するための手段は、前記モバイルデバイスと前記第１および第２のアンテナシステムとの間のチャネル状態に基づいて前記データをプリコードする、
請求項１に記載の装置。
【請求項１０】
第１のアンテナシステムを通して第１のセルのためのカバレージを提供することと、
第２のアンテナシステムを通して第２のセルのためのカバレージを提供することと、
前記第１および第２のアンテナシステムを使用した前記第１のセル中のモバイルデバイスへの送信用にデータを処理することと、
前記第１および第２のセルへの送信用に、それぞれ、第１および第２の基準信号を生成することと、
前記第１および第２の基準信号が衝突しない場合、前記第１のセルへ送信するための前記データをパンクチャすることと、
前記第１および第２の基準信号が衝突する場合、前記第１の基準信号をパンクチャすることと、
を備え、前記パンクチャすることは、異なるサブフレームにわたって実行される、
ワイヤレス通信のための方法。
【請求項１１】
前記データの処理は、送信用に前記データを処理するために前記第１のアンテナシステムと前記モバイルデバイスとの間の第１のチャネル推定値と、前記第２のアンテナシステムと前記モバイルデバイスとの間の第２のチャネル推定値とを使用することを備える、
請求項１０に記載の方法。
【請求項１２】
前記モバイルデバイスから前記第１および第２のチャネル推定値を受信することをさらに備える、
請求項１１に記載の方法。
【請求項１３】
前記モバイルデバイスが前記第２の基準信号から前記第２のチャネル推定値を生成できるように、前記データが、前記第１のセルへの送信用にパンクチャされる時に、前記第１および第２のセルへの送信用に、それぞれ、衝突しない第１および第２の基準信号を生成することをさらに備える、
請求項１１に記載の方法。
【請求項１４】
前記モバイルデバイスが前記第２の基準信号から前記第２のチャネル推定値を生成できるように、前記第１の基準信号が、パンクチャされる時に、前記第１および第２のセルへの送信用に、それぞれ、衝突する第１および第２の基準信号を生成することをさらに備える、
請求項１１に記載の方法。
【請求項１５】
前記データの処理は、前記第１および第２のアンテナシステムを通して前記モバイルデバイスに複数の空間ストリームを送信するために前記データを処理することを備える、
請求項１０に記載の方法。
【請求項１６】
前記データの処理は、前記第１および第２のアンテナシステムを通して前記モバイルデバイスに前記データを送信するためのビームパターンを形成するために前記データを処理することを備える、
請求項１０に記載の方法。
【請求項１７】
前記データの処理は、干渉を低減するために空間次元を利用することを備える、
請求項１０に記載の方法。
【請求項１８】
前記データの処理は、前記モバイルデバイスと前記第１および第２のアンテナシステムとの間のチャネル状態に基づいて前記データをプリコードすることを備える、
請求項１０に記載の方法。
【請求項１９】
第１のアンテナシステムを通して第１のセルのためのカバレージを提供し、
第２のアンテナシステムを通して第２のセルのためのカバレージを提供し、
前記第１および第２のアンテナシステムを使用した前記第１のセル中のモバイルデバイスへの送信用にデータを処理し、
前記第１および第２のセルへの送信用に、それぞれ、第１および第２の基準信号を生成し、
前記第１および第２の基準信号が衝突しない場合、前記第１のセルへの送信するための前記データをパンクチャし、
前記第１および第２の基準信号が衝突する場合、前記第１の基準信号をパンクチャし、
なお、前記パンクチャすることは、異なるサブフレームにわたって実行される、
ように構成された処理システムを備える、ワイヤレス通信のための装置。
【請求項２０】
前記処理システムは、送信用にデータを処理するために前記第１のアンテナシステムと前記モバイルデバイスとの間の第１のチャネル推定値と、前記第２のアンテナシステムと前記モバイルデバイスとの間の第２のチャネル推定値とを使用して前記データを処理するようにさらに構成された、
請求項１９に記載の装置。
【請求項２１】
前記処理システムは、前記モバイルデバイスから前記第１および第２のチャネル推定値を受信するようにさらに構成された、
請求項２０に記載の装置。
【請求項２２】
前記処理システムは、
前記モバイルデバイスが前記第２の基準信号から前記第２のチャネル推定値を生成できるように、前記データが、前記第１のセルへの送信用にパンクチャされる時に、前記第１および第２のセルへの送信用に、それぞれ、衝突しない第１および第２の基準信号を生成するようにさらに構成された、
請求項２０に記載の装置。
【請求項２３】
前記処理システムは、
前記モバイルデバイスが前記第２の基準信号から前記第２のチャネル推定値を生成できるように、前記第１の基準信号が、パンクチャされる時に、前記第１および第２のセルへの送信用に、それぞれ、衝突する第１および第２の基準信号を生成するようにさらに構成された、
請求項２０に記載の装置。
【請求項２４】
前記処理システムは、前記第１および第２のアンテナシステムを通して前記モバイルデバイスに複数の空間ストリームを送信するためにデータを処理するようにさらに構成された、
請求項１９に記載の装置。
【請求項２５】
前記処理システムは、前記第１および第２のアンテナシステムを通して前記モバイルデバイスに前記データを送信するためのビームパターンを形成するためにデータを処理するようにさらに構成された、
請求項１９に記載の装置。
【請求項２６】
前記処理システムは、干渉を低減するために空間次元を利用するデータを処理するようにさらに構成された、
請求項１９に記載の装置。
【請求項２７】
前記処理システムは、前記モバイルデバイスと前記第１および第２のアンテナシステムとの間のチャネル状態に基づいてデータをプリコードすることによって前記データを処理するようにさらに構成された、
請求項１９に記載の装置。
【請求項２８】
コンピュータに、第１のアンテナシステムを通して第１のセルのためのカバレージを提供させるためのコードと、
前記コンピュータに、第２のアンテナシステムを通して第２のセルのためのカバレージを提供させるためのコードと、
前記コンピュータに、前記第１および第２のアンテナシステムを使用した前記第１のセル中のモバイルデバイスへの送信用にデータを処理させるためのコードと、
前記コンピュータに、前記第１および第２のセルへの送信用に、それぞれ、第１および第２の基準信号を生成させるためのコードと、
前記第１および第２の基準信号が衝突しない場合、前記コンピュータに、前記第１のセルへの送信するための前記データをパンクチャさせるためのコードと、
前記第１および第２の基準信号が衝突する場合、前記コンピュータに、前記第１の基準信号をパンクチャさせるためのコードと、
を記憶し、前記パンクチャするためのコードは、異なるサブフレームにわたって実行される、コンピュータ可読記憶媒体。
【請求項２９】
前記コンピュータに、前記データを処理させるためのコードは、送信用に前記データを処理するために前記第１のアンテナシステムと前記モバイルデバイスとの間の第１のチャネル推定値と、前記第２のアンテナシステムと前記モバイルデバイスとの間の第２のチャネル推定値とを使用する、
請求項２８に記載のコンピュータ可読記憶媒体。
【請求項３０】
前記コンピュータに、前記モバイルデバイスから前記第１および第２のチャネル推定値を受信させるためのコードをさらに記憶する、
請求項２９に記載のコンピュータ可読記憶媒体。
【請求項３１】
前記コンピュータに、前記モバイルデバイスが前記第２の基準信号から前記第２のチャネル推定値を生成できるように、前記パンクチャさせるためのコードが、前記コンピュータに、前記第１のセルへの送信用にデータをパンクチャする時に、前記第１および第２のセルへの送信用に、それぞれ、衝突しない第１および第２の基準信号を生成させるためのコードをさらに記憶する、
請求項２９に記載のコンピュータ可読記憶媒体。
【請求項３２】
前記コンピュータに、前記モバイルデバイスが前記第２の基準信号から前記第２のチャネル推定値を生成できるように、前記パンクチャさせるためのコードが、前記コンピュータに、前記第１の基準信号をパンクチャする時に、前記第１および第２のセルへの送信用に、それぞれ、衝突する第１および第２の基準信号を生成させるためのコードをさらに備える、
請求項２９に記載のコンピュータ可読記憶媒体。
【請求項３３】
前記コンピュータに、前記データを処理させるためのコードは、前記第１および第２のアンテナシステムを通して前記モバイルデバイスに複数の空間ストリームを送信するために前記データを処理する、
請求項２８に記載のコンピュータ可読記憶媒体。
【請求項３４】
前記コンピュータに、前記データを処理させるためのコードが、前記第１および第２のアンテナシステムを通して前記モバイルデバイスに前記データを送信するためのビームパターンを形成するために前記データを処理する、
請求項２８に記載のコンピュータ可読記憶媒体。
【請求項３５】
前記コンピュータに、前記データを処理させるためのコードが、干渉を低減するために空間次元を利用する、
請求項２８に記載のコンピュータ可読記憶媒体。
【請求項３６】
前記コンピュータに、前記データを処理させるためのコードは、前記モバイルデバイスと前記第１および第２のアンテナシステムとの間のチャネル状態に基づいて前記データをプリコードする、
請求項２８に記載のコンピュータ可読記憶媒体。
【発明の詳細な説明】
【関連出願】
【０００１】
本出願は、参照により本明細書に組み込まれる、２００８年８月６日に出願された「DL Common RS Backward Compatible Designs for Distributed MIMO」と題する米国仮特許出願第６１／０８６，５３９号の利益を主張する。
【技術分野】
【０００２】
以下の説明は、一般に、ワイヤレス通信に関し、より詳細には、ワイヤレス通信における干渉を処理するためのシステムおよび技法に関する。
【背景技術】
【０００３】
ワイヤレス通信システムは、たとえば、ボイス、データなど、様々なタイプの通信コンテンツを提供するために広く展開されている。典型的なワイヤレス通信システムは、使用可能なシステムリソース（たとえば、帯域幅、送信電力など）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、これらのシステムは、３ＧＰＰ（Third Generation Partnership Project）、３ＧＰＰ  ＬＴＥ（Long Term Evolution）、ＵＭＢ（Ultra Mobile Broadband）などの仕様、および／またはＥＶ−ＤＯ（Evolution Data Optimized）、その１つまたは複数のリビジョンなどのマルチキャリアワイヤレス仕様に準拠することができる。
【０００４】
一般に、ワイヤレス多元接続通信システムは、複数のモバイルデバイスのための通信を同時にサポートすることができる。各モバイルデバイスは、順方向リンクおよび逆方向リンク上の送信を介して１つまたは複数の基地局と通信することができる。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局との間の通信は、単一入力単一出力（ＳＩＳＯ）システム、多入力単一出力（ＭＩＳＯ）システム、多入力多出力（ＭＩＭＯ）システムなどを介して確立できる。さらに、ピアツーピアワイヤレスネットワーク構成では、モバイルデバイスは他のモバイルデバイスと（および／または基地局は他の基地局と）通信することができる。
【０００５】
セクタ化は、単一の基地局を３つのセルに分割することによってシステム容量を向上させる古典的な方法である。初期のシステムでは、セルごとに、固定ビームパターンをもつ１つの指向性アンテナを利用して、セル内に送信電力を集中させ、他のセルに引き起こされた干渉を低減していた。最近、セルをカバーする指向性固定ビームパターンを生成するために、複数の送信（ＴＸ）アンテナをもつＭＩＭＯシステムが導入されている。これらの進歩にもかかわらず、多数のモバイルデバイスが依然としてセルエッジにおいてセル間干渉を受ける。
【発明の概要】
【０００６】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
本開示の一態様では、ワイヤレス通信のための装置は、第１のアンテナシステムを通して第１のセルのためのカバレージを提供するための手段と、第２のアンテナシステムを通して第２のセルのためのカバレージを提供するための手段と、第１および第２のアンテナシステムを使用した第１のセル中のモバイルデバイスへの送信用のデータを処理するための手段と、を含む。
【０００８】
本開示の別の態様では、ワイヤレス通信のための方法は、第１のアンテナシステムを通して第１のセルのためのカバレージを提供することと、第２のアンテナシステムを通して第２のセルのためのカバレージを提供することと、第１および第２のアンテナシステムを使用した第１のセル中のモバイルデバイスへの送信用のデータを処理することと、を含む。
【０００９】
本開示のさらに別の態様では、ワイヤレス通信のための装置は、第１のアンテナシステムを通して第１のセルのためのカバレージを提供することと、第２のアンテナシステムを通して第２のセルのためのカバレージを提供することと、第１および第２のアンテナシステムを使用した第１のセル中のモバイルデバイスへの送信用のデータを処理することと、を行うように構成された処理システムを含む。
【００１０】
本開示のさらなる態様では、コンピュータプログラム製品は、１つまたは複数のプロセッサによって実行可能な命令を備え、命令は、第１のアンテナシステムを通して第１のセルのためのカバレージを提供するためのコードと、第２のアンテナシステムを通して第２のセルのためのカバレージを提供するためのコードと、第１および第２のアンテナシステムを使用した第１のセル中のモバイルデバイスへの送信用のデータを処理するためのコードと、を備える。
【００１１】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【図面の簡単な説明】
【００１２】
【図１】多元接続ワイヤレス通信システムの態様を示す図。
【図２】多元接続ワイヤレス通信システムにおける基地局およびモバイルデバイスの態様を示す図。
【図３】多元接続ワイヤレス通信システム用のフレーム構造の態様を示す図。
【図４】セルエッジにあるモバイルデバイスをもつ多元接続ワイヤレス通信システムの態様を示す図。
【図５】それぞれのセルエッジにある２つのモバイルデバイスをもつ多元接続ワイヤレス通信システムの態様を示す図。
【図６】２つのＴＸアンテナを有する基地局と、セルエッジにあるモバイルデバイスとをもつ多元接続ワイヤレス通信システムの態様を示す図。
【図７】セルエッジにあるモバイルデバイスをもつ多元接続ワイヤレス通信システムにおける分散型アンテナシステムの態様を示す図。
【図８】それぞれのセルエッジにある２つのモバイルデバイスをもつ多元接続ワイヤレス通信システムの態様を示す図。
【図９】２つのＴＸアンテナを有する基地と、それぞれのセルエッジにある２つのモバイルデバイスとをもつ多元接続ワイヤレス通信システムの態様を示す図。
【図１０】２つのＴＸアンテナを採用するアンテナシステムと、それぞれのセルエッジにある２つのモバイルデバイスとをもつ多元接続ワイヤレス通信システムにおける分散型アンテナシステムの態様を示す図。
【図１１】基地局の機能に関係する態様を示す図。
【発明を実施するための形態】
【００１３】
次に、図面を参照しながら様々な実施形態について説明する。図面全体にわたって、同様の要素を指すのに同様の参照符号を使用する。以下の記述では、説明の目的で、１つまたは複数の実施形態の完全な理解を与えるために多数の具体的な詳細を記載する。ただし、そのような（１つまたは複数の）実施形態は、これらの具体的な詳細なしに実施できることは明らかであろう。他の例では、１つまたは複数の実施形態の説明を円滑にするために、よく知られている構造およびデバイスをブロック図の形態で示す。
【００１４】
本出願で使用する「コンポーネント」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、コンポーネントは、プロセッサ上で実行されるプロセス、プロセッサ、オブジェクト、実行可能ファイル、実行スレッド、プログラム、および／またはコンピュータとすることができるが、これらに限定されない。例として、コンピューティングデバイス上で実行されるアプリケーションと、そのコンピューティングデバイスの両方をコンポーネントとすることができる。１つまたは複数のコンポーネントがプロセスおよび／または実行スレッド内に常駐することができ、１つのコンポーネントを１つのコンピュータ上に配置し、および／または２つ以上のコンピュータ間に分散することができる。さらに、これらのコンポーネントは、様々なデータ構造を記憶している様々なコンピュータ可読媒体から実行することができる。これらのコンポーネントは、１つまたは複数のデータパケット（たとえば、ローカルシステム、分散システム内、および／または他のシステムを用いるインターネットなどのネットワーク全体の中の別のコンポーネントと信号を介して相互作用する１つのコンポーネントからのデータ）を有する信号によるなど、ローカルおよび／またはリモートプロセスを介して通信することができる。
【００１５】
さらに、様々な実施形態について、モバイルデバイスに関して本明細書で説明する。モバイルデバイスは、システム、加入者ユニット、加入者局、移動局、モバイル、リモート局、リモート端末、アクセス端末、ユーザ端末、端末、ワイヤレス通信デバイス、ユーザエージェント、ユーザデバイス、またはユーザ機器（ＵＥ）とも呼ばれることがある。モバイルデバイスは、セルラー電話、スマートフォン、コードレス電話、セッション開始プロトコル（ＳＩＰ）電話、ラップトップ、衛星ラジオ、全地球測位システム、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続される他の処理デバイスとすることができる。さらに、様々な実施形態について、基地局に関して本明細書で説明する。基地局は、（１つまたは複数の）モバイルデバイスと通信するために利用でき、アクセスポイント、ノードＢ、発展型ノードＢ（ｅノードＢもしくはｅＮＢ）、送受信基地局（ＢＴＳ）または何らかの他の用語で呼ばれることもある。
【００１６】
本明細書で説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数領域多重（ＳＣ−ＦＤＭＡ）および他のシステムなど、様々なワイヤレス通信システムに使用できる。「システム」および「ネットワーク」という用語は、しばしば互換的に使用される。ＣＤＭＡシステムは、ＵＴＲＡ（Universal Terrestrial Radio Access）、ＣＤＭＡ２０００などの無線技術をインプリメントすることができる。ＵＴＲＡは、Ｗ−ＣＤＭＡ（Wideband−CDMA）およびＣＤＭＡの他の変形態を含む。ＣＤＭＡ２０００は、ＩＳ−２０００、ＩＳ−９５およびＩＳ−８５６規格をカバーする。ＴＤＭＡシステムは、ＧＳＭ（登録商標）（Global System for Mobile Communications）などの無線技術をインプリメントすることができる。ＯＦＤＭＡシステムは、Ｅ−ＵＴＲＡ（Evolved UTRA）、ＵＭＢ（Ultra Mobile Broadband）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭなどの無線技術をインプリメントすることができる。ＵＴＲＡおよびＥ−ＵＴＲＡは、ＵＭＴＳ（Universal Mobile Telecommunication System）の一部である。３ＧＰＰ  ＬＴＥ（Long Term Evolution）は、ダウンリンク上ではＯＦＤＭＡを採用し、アップリンク上ではＳＣ−ＦＤＭＡを採用するＥ−ＵＴＲＡを使用する今度のリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００およびＵＭＢは「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織の文書に記載されている。本明細書で説明する技法はまた、１ｘＥＶ−ＤＯリビジョンＢまたは他のリビジョンなどのＥＶ−ＤＯ（Evolution Data Optimized）規格で利用できる。さらに、そのようなワイヤレス通信システムは、追加として、不対無許可スペクトル、８０２．ｘｘワイヤレスＬＡＮ、ＢＬＵＥＴＯＯＴＨ（登録商標）、および任意の他の短距離または長距離ワイヤレス通信技法をしばしば使用するピアツーピア（たとえば、モバイル間の）アドホックネットワークシステムを含むことができる。
【００１７】
いくつかのデバイス、コンポーネント、モジュールなどを含むことができるシステムに関して、様々な態様または特徴を提示する。様々なシステムは、追加のデバイス、コンポーネント、モジュールなどを含んでもよく、および／または各図に関連して論じるデバイス、コンポーネント、モジュールなどのすべてを含まなくてもよいことを理解および諒解されたい。これらの手法の組合せを使用することもできる。
【００１８】
次に、図１を参照しながら、多元接続ワイヤレス通信システムの様々な態様を提示する。ワイヤレス通信システム１００は基地局１０２とともに示されている。基地局１０２は、異なるアンテナシステム１０６をもつ各セル１０４をサービスすることを可能にするいくつかのトランシーバ（図示せず）を含むことができる。各アンテナシステム１０６は、単一の指向性アンテナとして示されているが、指向性ビームパターンを形成するために協働するアンテナ素子の構成としてインプリメントできる。基地局１０２は、各セル１０４中に１つずつある、３つのモバイルデバイス１０８と通信している状態が示されている。ただし、基地局１０２は、実質的にいかなる数のモバイルデバイスとも通信することができることを諒解されたい。図示のように、基地局１０２は、セル１０４i中のモバイルデバイス１０８iと通信するためにアンテナシステム１０６iを使用し、セル１０４j中のモバイルデバイス１０８jと通信するためにアンテナシステム１０６jを使用し、セル１０４k中のモバイルデバイス１０８kと通信するためにアンテナシステム１０６kを使用する。
【００１９】
代替的に、アンテナシステム１０６は、ＭＩＭＯアンテナシステムとすることができる。ＭＩＭＯアンテナシステムは、データ送信のために複数（ＮT）個のＴＸアンテナと複数（ＮR）個の受信（ＲＸ）アンテナとを採用する。ＮT個のＴＸアンテナとＮR個のＲＸアンテナとによって形成されるＭＩＭＯチャネルは、空間チャネルとも呼ばれるＮS個の独立チャネルに分解でき、ここで、ＮS≦ｍｉｎ｛ＮT，ＮR｝である。ＮS個の独立チャネルの各々は１つの次元に対応する。複数のＴＸおよびＲＸアンテナによって生成された追加の次元数が利用された場合、ＭＩＭＯシステムは、改善されたパフォーマンス（たとえば、より高いスループットおよび／またはより大きい信頼性）を与えることができる。ＭＩＭＯシステムは、ＦＤＤ、ＦＤＭ、ＴＤＤ、ＴＤＭ、ＣＤＭ、ＯＦＤＭなど、アップリンクおよびダウンリンクチャネルを分割する実質的にどんなタイプの複信技法でも利用することができる。
【００２０】
次に、図２を参照しながら、モバイルデバイスと通信している基地局の様々な態様を提示する。基地局１０２において、いくつかのデータストリームのデータがデータソース２１２から処理システム２１３に供給される。処理システム２１３は、送信（ＴＸ）データプロセッサ２１４と、送信（ＴＸ）ＭＩＭＯプロセッサ２２０と、プロセッサ２３０と、メモリ２３２と、ＲＸデータプロセッサ２４２とを含む。各データストリームは、それぞれのアンテナシステム２２４にわたって送信できる。説明を簡単にするために、１つのセルをサービスするための単一のアンテナシステム２２４が示されている。ただし、当業者なら容易に諒解するように、基地局１０２は、セルごとに別個のアンテナシステムを採用することができる。この例では、アンテナシステム２２４は、複数の空間チャネルを利用することによって複数のデータストリームをサポートすることができるＭＩＭＯアンテナシステムである。代替的に、アンテナシステム２２４は、単一の指向性アンテナまたは複数のアンテナ素子からなることができる。別個の送信機（ＴＭＴＲ）／受信機（ＲＣＶＲ）２２２がシステム中の各アンテナ２２４から与えられる。
【００２１】
ＴＸデータプロセッサ２１４は、符号化データを供給するために、そのデータストリーム用に選択された特定の符号化スキームに基づいて、データストリームごとにデータをフォーマットし、符号化し、インターリーブする。各データストリームの符号化データは、ＯＦＤＭ技法あるいは他の直交化または非直交化技法を使用して基準信号と多重化できる。パイロット信号、ビーコン信号などと呼ばれることがある基準信号は、一般に、既知の方法で処理される既知のデータパターンであり、チャネル応答を推定するためにモバイルデバイス１０８において使用できる。次いで、各データストリームの多重化された基準信号および符号化データは、変調シンボルを与えるために、そのデータストリーム用に選択された１つまたは複数の特定の変調スキーム（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ２３０によって決定できる。
【００２２】
次いで、すべてのデータストリームの変調シンボルが、（たとえば、ＯＦＤＭのために）変調シンボルの空間処理を行うＴＸ  ＭＩＭＯプロセッサ２２０に供給される。次いで、ＴＸ  ＭＩＭＯプロセッサ２２０は、ＮT個の変調シンボルストリーム（または空間ストリーム）をＮT個の送信機（ＴＭＴＲ）２２２ａ〜２２２ｔに供給する。各ＴＭＴＲ２２２は、それぞれのシンボルストリームを受信し、処理して、１つまたは複数のアナログ信号を与え、さらに、そのアナログ信号を調整（たとえば、増幅、フィルタ処理、およびアップコンバート）して、ＭＩＭＯチャネルを介して送信するのに適した変調信号を与える。次いで、ＴＭＴＲ２２２ａ〜２２２ｔからのＮT個の変調信号が、それぞれＮT個のアンテナ２２４ａ〜２２４ｔから送信される。
【００２３】
モバイルデバイス１０８において、送信された変調信号はＮR個のアンテナ２５２ａ〜２５２ｒによって受信され、各アンテナ２５２からの受信信号はそれぞれのＲＣＶＲ２５４に供給される。各ＲＣＶＲ２５４は、それぞれの受信信号を調整（たとえば、フィルタ処理、増幅、およびダウンコンバート）し、調整信号をデジタル化してサンプルを供給し、さらにサンプルを処理して対応する「受信」シンボルストリームを供給する。
【００２４】
次いで、受信（ＲＸ）データプロセッサ２６０は、特定の受信機処理技法に基づいてＮR個のＲＣＶＲ２５４からＮR個の受信シンボルストリームを受信し、処理して、ＮT個の「検出」シンボルストリームを供給する。各検出シンボルストリームは、対応するデータストリームに対して送信される変調シンボルの推定であるシンボルを含む。次いで、ＲＸデータプロセッサ２６０は、各検出シンボルストリームを復調し、デインターリーブし、復号して、データストリームのデータを復元する。次いで、データはデータシンク２６４に供給される。ＲＸデータプロセッサ２６０による処理は、基地局１０２においてＴＸプロセッサ２２０およびＴＸ  ＭＩＭＯデータプロセッサ２１４によって実行される処理を補足するものである。
【００２５】
ＲＸプロセッサ２６０によって生成されるチャネル応答推定は、受信機において空間または空間／時間処理を実行する、電力レベルを調整する、変調レートまたは変調スキームを変更する、あるいは他の動作を実行するために使用できる。さらに、ＲＸプロセッサ２６０は、検出シンボルストリームの信号対雑音干渉比（ＳＮＲ）、および場合によっては他のチャネル特性を推定することができ、これらの量をプロセッサ２７０に供給する。さらに、ＲＸデータプロセッサ２６０またはプロセッサ２７０は、システムに関する「動作」ＳＮＲの推定を導出することができる。次いで、プロセッサ２７０は、通信リンクおよび／または受信データストリームに関する様々なタイプの情報を備えることができるチャネル状態情報（ＣＳＩ）を与える。たとえば、ＣＳＩは、動作ＳＮＲのみを備えることができる。他の実施形態では、ＣＳＩは、１つまたは複数のチャネル状態を示す数値とすることができるチャネル品質インジケータ（ＣＱＩ）を備えることができる。次いで、ＣＳＩは、ＴＸデータプロセッサ２７８によって処理され、ＴＸ  ＭＩＭＯプロセッサ２８０によって空間処理され、送信機２５４ａ〜２５４ｒによって調整され、基地局１０２に返信される。
【００２６】
基地局１０２において、モバイルデバイス１０８からの変調信号は、アンテナシステム２２４によって受信され、ＲＣＶＲ２２２によって調整され、ＲＸデータプロセッサ２４２によって処理されて、モバイルデバイス１０８によって報告されたＣＳＩが復元される。次いで、報告されたＣＳＩは、プロセッサ２３０に供給され、（１）データストリームに使用すべきデータレートならびに符号化および変調スキームを決定するため、および（２）ＴＸデータプロセッサ２１４およびＴＸプロセッサ２２０の様々な制御を生成するために使用される。代替的に、プロセッサ２７０は、送信用の変調スキームおよび／または符号化率を決定するためにＣＳＩを他の情報とともに利用することができる。次いで、これを基地局１０２に供給し、基地局１０２は、量子化できるこの情報を使用して、供給モバイルデバイス１０８に後の送信を供給することができる。プロセッサ２３０および２７０は、基地局１０２およびモバイルデバイス１０８における動作を指示する。メモリ２３２および２７２は、それぞれプロセッサ２３０および２７０によって使用されるプログラムコードおよびデータの記憶を行う。
【００２７】
図２にＭＩＭＯアンテナシステムを示したが、ＭＩＭＯアンテナシステムに関して説明する様々な概念は、複数のＴＸアンテナ、たとえば、基地局上にある複数のＴＸアンテナが、単一のアンテナデバイス、たとえば、モバイルデバイスに１つまたは複数のシンボルストリームを送信する、ＭＩＳＯアンテナシステムに適用できる。また、図２に関して説明したのと同様にＳＩＳＯアンテナシステムを利用することができる。ＳＩＳＯアンテナシステムの場合、ＴＸデータプロセッサ２１４からのデータストリームは、アンテナシステムを通して送信するためにＴＭＴＲ／ＲＣＶＲ２２２に直接供給される。ただし、後でより詳細に説明するように、セルエッジモバイルデバイスのパフォーマンスを向上させるために、ＴＸ  ＭＩＭＯプロセッサ２２０をＳＩＳＯアンテナシステム中で使用して、複数のアンテナシステムから複数の空間ストリームを供給することができる。
【００２８】
基地局のいくつかの態様について説明する際、様々な機能を処理システム２１３に関して説明した。処理システム２１３は、ハードウェア、ソフトウェア、または両方の組合せとしてインプリメントできる。ハードウェアとしてインプリメントするか、またはソフトウェアとしてインプリメントするかは、特定の適用例および全体的なシステムに課される設計制約に依存することになる。当業者なら、説明した機能を特定の適用例ごとに様々な方法でインプリメントすることができる。
【００２９】
限定はしないが、例として、基地局１０２によって採用される処理システム２１３は、１つまたは複数のプロセッサを用いてインプリメントすることができる。プロセッサの例は、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェアコンポーネント、または本開示全体にわたって説明する様々な機能を実行することができる他の処理回路を含む。
【００３０】
プロセッサは、ソフトウェアを実行するように構成できる。ソフトウェアを実行することが可能なプロセッサの一例は、機械可読媒体上のソフトウェアにアクセスすることが可能なマイクロプロセッサである。マイクロプロセッサは、バスまたは他の通信手段を通して機械可読媒体および他の回路と互いにリンクされた集積回路とすることができる。代替的に、マイクロプロセッサは、特定用途向け集積回路（ＡＳＩＣ）を用いてインプリメントされる組込みシステムの一部とすることができる。埋込みマイクロプロセッサは、機械可読媒体と単一のチップに組み込まれた他の回路とをもつＡＲＭ（Advanced RISC Machine）プロセッサとすることができる。
【００３１】
ソフトウェアは、ソフトウェア、ファームウェア、ミドルウェア、マイクロコード、ハードウェア記述言語などの名称にかかわらず、命令、データ、またはそれらの組合せを意味すると広く解釈されたい。機械可読媒体は、例として、ＲＡＭ（ランダムアクセスメモリ）、フラッシュ（登録商標）メモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、もしくは他の適切な記憶媒体、またはそれらの任意の組合せを含むことができる。
【００３２】
機械可読媒体は、処理システムの一部とすることができる。代替的に、機械可読媒体の任意の一部分は、処理システムの外部に存在することができる。例として、機械可読媒体は、すべてトランシーバを通してプロセッサシステムによってまたは他の手段によってアクセスできる、伝送線路、データによって変調されたキャリア、および／または基地局または移動局とは別個のコンピュータ製品を含むことができる。
【００３３】
機械可読媒体によってサポートされるソフトウェアは、単一の記憶デバイス内に常駐することも、複数のメモリデバイスに分散することもできる。例として、ソフトウェアは、ハードドライブからＲＡＭにロードできる。ソフトウェアの実行中、プロセッサは、アクセス速度を高めるために、命令のいくつかをキャッシュにロードすることができる。次いで、１つまたは複数のキャッシュラインを、プロセッサによる実行のために汎用レジスタファイルにロードすることができる。ソフトウェアの機能に言及する場合、そのような機能は、ソフトウェア命令を実行したときにプロセッサによってインプリメントされることが理解されよう。
【００３４】
次に、特定の送信データ構造に関して様々な概念を提示する。当業者なら容易に諒解するように、これらの概念は他の送信データ構造に拡張できる。この例におけるデータ構造はＯＦＤＭダウンリンク送信に基づく。ＯＦＤＭは、正確な周波数で離間した多数のサブキャリアにわたってデータを配信するスペクトル拡散技法である。離間は、受信機がサブキャリアからデータを復元することを可能にする「直交性」を与える。
【００３５】
ダウンリンク送信用のデータ構造の一例を図３に示し、水平寸法は時間を表し、垂直寸法は周波数を表す。ダウンリンク送信は、フレーム３０２と呼ばれるユニットに分割されるが、当業者によって、パケット、スロット、ユニット、またはワイヤレス媒体上で送信するためのデータ構造を表す他の名称で呼ばれることもある。フレーム３０２はさらに５つのサブフレーム３０４に分割され、各サブフレームは２つのスロット３０６を有する。各スロット３０６は、６個のリソースブロック（ＲＢ）３０８を含み、各リソースブロック３０８は、７個のＯＦＤＭシンボル×１２個のＯＦＤＭサブキャリアを備える８４個のリソース要素３１０からなる。１つのリソース要素は、ＱＰＳＫ、１６ＱＡＭ、または６４ＱＡＭ変調ビットを搬送する。例として、１６ＱＡＭの場合、各リソース要素は４ビットを搬送する。基地局１０２が各移動局１０８に割り当てるリソースブロックの個数は、モバイルデバイス１０８上で動作するアプリケーションのサービス品質（ＱｏＳ）要件に基づく。所与のモバイルデバイスのＱｏＳ要件が高くなるほど、基地局がモバイルデバイスに割り当てる必要があるリソースブロックは多くなる。
【００３６】
基地局１０２の一実施形態では、その基地局１０２によってサービスされるすべての３つのセルにわたって共通基準信号（ＣＲＳ）が送信される。この例では、ＣＲＳは、スロット中の第１、第２、および第５のＯＦＤＭシンボル中で送信される。基地局１０２は、移動局が基準信号を区別できるようにするために、各基準信号に対して時間シフト周波数領域直交シーケンスを使用することができる。例として、第１のＣＲＳiは、第１のＯＦＤＭシンボル中のサブキャリア０および６上と、第４のＯＦＤＭシンボル中のサブキャリア３および９上とで送信される。第２のＣＲＳjは、同じスロットの第１のＯＦＤＭシンボル中のサブキャリア３および９上と、第４のＯＦＤＭシンボル中のサブキャリア０および６上とで送信される。所与のセルの特定の時間シフト周波数領域直交シーケンスは、ネットワーク事業者（図示せず）または何らかの他のエンティティによって割り当てられたセルの識別子（ＩＤ）に基づく。データおよび制御情報は、セルのＣＲＳによって占有されないリソースエレメント中で、そのセル中の移動局に送信できる。例として、基地局１０２は、第１のＯＦＤＭシンボル中のサブキャリア１〜５および７〜１１上と、第４のＯＦＤＭシンボル中のサブキャリア０〜２、４〜８、および１０〜１１上とで、セル１０４i中の移動局１０４iにデータおよび制御情報を送信することができる。基地局１０２は、リソースブロック中の第２、第３、第５、第６、および第７のＯＦＤＭシンボル中のすべてのサブキャリア上で、移動局１０８iにデータおよび制御情報を送信することもできる。
【００３７】
図４を参照すると、モバイルデバイス１０８iは、セル１０４iのエッジに移動している。したがって、モバイルデバイス１０８iは、隣接セル１０４j内の基地局送信からの干渉を受け始めることがある。この問題に対処するために、基地局１０２は、セルのエッジにおいてモバイルデバイスが受けるパフォーマンスを改善するために、セル１０４間で送信を調整するための様々な技法をインプリメントすることができる。より詳細には、基地局１０２は、（１）より多くの空間ビームを送信するか、またはより高いビームフォーミング電力利得を提供することによってセルエッジモバイルデバイスのパフォーマンスを向上させるため、および／または（２）セルエッジモバイルデバイスが受ける干渉を最小限に抑えるために、異なるセル中の複数のモバイルデバイスへの送信を調整し、空間次元を利用することができる。
【００３８】
次に、セル１０４iのエッジにおいて分散型ＭＩＭＯモードで動作するモバイルデバイス１０８iに関して、様々な例を提示する。この例では、非サービングセル１０４j用のアンテナ１０６jからモバイルデバイス１０８iへのチャネルの推定値ｈijが必要とされる。このチャネル推定値ｈjiは、サービングセル１０４i用のアンテナ１０６iからモバイルデバイス１０８iへのチャネルの推定値ｈiiとともに、モバイルデバイス１０８i中のＲＸデータプロセッサ２６０（図２を参照）によって計算され、ＣＳＩ中でまたは他の手段によって基地局１０２に供給される。基地局１０２は、周期的に移動局１０８iが、非サービングまたは干渉セル１０４j用のアンテナ１０６jから送信された基準信号をはっきりと（高品質に）見ることができるように、セル１０４間で送信を協調させることができる。これを達成するために、様々な技法を基地局１０２にインプリメントすることができる。
【００３９】
１つのインプリメンテーションでは、セル１０４のセルＩＤは、各セル内で送信された基準信号がオーバーラップなしに周波数にわたって交互に配置されるように、ネットワーク事業者（図示せず）または他のエンティティによって割り当てられる。これにより、３つのセル１０４内で基地局１０２によって送信された基準信号は衝突しなくなる。次いで、基地局は、あるセル１０６中の基地局１０２によって送信されたデータが、基地局によって隣接セルに送信された基準信号と衝突しないようにするためのステップをとることができる。例として、基地局による何らかの行為がない場合、基地局１０２によってセル１０４i中のモバイルデバイス１０８iに送信されたデータが、隣接セル１０４j中の基地局１０２によって送信された基準信号と衝突することがある。これを回避するために、基地局１０２は、基地局１０２によって隣接セル１０４iに送信された基準信号によって占有されたＯＦＤＭサブキャリアにわたって、モバイルデバイス１０８iに送信されたデータをパンクチャすることができる。パンクチャリング演算は、移動局１０４iが隣接セル１０４jから干渉を受けていることを指示する、移動局１０４iからのフィードバックに応答して実行できる。フィードバックは、ＣＳＩ中で提供することも、何らかの他の手段によって提供することもできる。パンクチャリング演算は、モバイルデバイス１０８iのＱｏＳに悪影響が及ぶことを回避するために、低デューティサイクルで（たとえば、ｘ個のサブフレームごとに１回）行うべきである。好ましくは、データのみをパンクチャし、制御情報はパンクチャしない。パンクチャリング演算は、プロセッサ２３０からの制御信号情報に応答して基地局のＴＸデータプロセッサ２１４によって実行できる。
【００４０】
図５を参照すると、モバイルデバイス１０８kは、ここではセル１０４kのエッジに移動している。したがって、モバイルデバイス１０８kはまた、隣接セル１０４jへの基地局送信からの干渉を受け始めることがある。モバイルデバイス１０８iに関して前に説明したように、モバイルデバイス１０８kは、非サービングセル１０４j用のアンテナ１０６jからモバイルデバイス１０８kへのチャネルの推定値ｈjkと、サービングセル１０４k用のアンテナ１０６kからモバイルデバイス１０８kへのチャネル推定値ｈkkを必要とし、この情報をＣＳＩを通してまたは何らかの他の手段によって基地局１０２に供給する。このような状況では、基地局１０２は、基地局１０２によって隣接セル１０４iに送信された基準信号によって占有されたＯＦＤＭサブキャリアにわたってモバイルデバイス１０８iとモバイルデバイス１０８kの両方に送信されたデータをパンクチャすることができる。好ましくは、基地局１０２は、単一のリソースブロックにわたる目に見えるレート損失を回避するために、ＴＤＭ方式で（すなわち、異なるサブフレームにわたって）パンクチャリング演算を実行する。
【００４１】
基地局１０２の代替実施形態では、セルのセルＩＤは、各セル内で送信された基準信号が常に衝突するように、ネットワーク事業者（図示せず）または他のエンティティによって割り当てられる。これにより、基地局１０２によって３つのセル１０４に送信された基準信号が、隣接セル１０４に送信されたデータと衝突しなくなる。図４に戻ると、基地局１０２は、基地局１０２によって隣接セル１０４iに送信された基準信号によって占有されたＯＦＤＭサブキャリアにわたってモバイルデバイス１０８iに送信された基準信号をパンクチャすることができる。パンクチャリング演算は、移動局１０４iが隣接セル１０４jから干渉を受けていることを指示する、移動局１０４iからのフィードバックに応答して実行できる。フィードバックは、ＣＳＩ中で提供することも、何らかの他の手段によって提供することもできる。パンクチャリング演算は、モバイルデバイス１０８iのＱｏＳに悪影響が及ぶことを回避するために、低デューティサイクルで（たとえば、ｘ個のサブフレームごとに１回）行うべきである。好ましくは、データのみをパンクチャし、制御情報はパンクチャしない。パンクチャリング演算は、プロセッサ２３０からの制御信号情報に応答して基地局のＴＸデータプロセッサ２１４によって実行できる。
【００４２】
図５に戻ると、基地局１０２は、基地局１０２によって隣接セル１０４iに送信された基準信号によって占有されたＯＦＤＭサブキャリアにわたってモバイルデバイス１０８iとモバイルデバイス１０８kの両方に送信された基準信号をパンクチャすることができる。好ましくは、基地局１０２は、単一のリソースブロックにわたる目に見えるレート損失を回避するために、ＴＤＭ方式で（すなわち、異なるサブフレームにわたって）パンクチャリング演算を実行する。
【００４３】
基準信号パンクチャリング手法は、基準信号パンクチャリングがデータチャネル上でレート損失を招かないという点で、データパンクチャリング手法とは異なる。しかしながら、基準信号がパンクチャされると、基準信号の復調パフォーマンスが影響を受けることがある。その影響は、時間フィルタ処理と低デューティサイクルパンクチャリング演算とを用いて最小限に抑えることができる。
【００４４】
前述のように、図２に示す各アンテナ１０６は指向性アンテナを表す。セルごとに２つのＴＸアンテナがある場合、基地局１０２は、ＴＸアンテナごとにパンクチャ演算を実行することができる。好ましくは、基地局１０２は、単一のリソースブロックにわたる目に見えるレート損失を回避するために、ＴＤＭ方式で（すなわち、異なるサブフレームにわたって）各アンテナに関連するパンクチャリング演算を実行する。
【００４５】
セルごとに４つのＴＸアンテナがある場合、基地局１０２はまた、ＴＸアンテナごとにパンクチャ演算を実行することができる。基地局１０２は、１つのサブフレーム内でアンテナのペアに対してパンクチャリング演算を実行する。例として、基地局アンテナ１０６jは、４つのアンテナ１０６j1、１０６j2、１０６j3、および１０６j4を備えることができる。基地局１０２は、同じサブフレーム中にアンテナ１０６j1とアンテナ１０６j3の両方にパンクチャリング演算を実行し、同じサブフレーム中にアンテナ１０６j2とアンテナ１０６のj4の両方にパンクチャリング演算を実行することができる。好ましくは、基地局１０２は、単一のリソースブロックにわたる大きいレート損失を回避するために、ＴＤＭ方式で（すなわち、異なるサブフレームにわたって）各アンテナペアに関連付けられたパンクチャリング演算を実行する。
【００４６】
演算に関して、このパンクチャリング手順は、基地局１０２によって制御され、したがって、モバイルデバイス１０８に対して透過的である。したがって、パンクチャリング演算を認識しないレガシーモバイルデバイスは、ワイヤレス通信システム中に展開されたままであり、それにより、それらの有効寿命が延びる。本開示全体にわたって提示した様々な特徴を利用するように設計された新しいモバイルデバイスは、これらのパンクチャリング演算に気づくことができ、したがってデータパフォーマンスを改善することができる。例として、ＲＸデータプロセッサ２６０（図２を参照）中にターボ復号を採用したモバイルデバイス１０８では、パンクチャされているサブキャリアのＬＬＲをゼロアウトすることができる。パンクチャ演算は、時間的に緩動的（slowly dynamical）とすることができ、セルごとに必要に応じてアクティブ化／非アクティブ化することができる。
【００４７】
この手法のいくつかの変形形態は、本明細書の教示から当業者には容易に理解されよう。例として、データまたは基準信号を完全にパンクチャするのではなく、基地局１０２は、単に、適切なリソース要素中でデータまたは基準信号をはるかに低い電力レベルで送信することができる。
【００４８】
隣接セル１０４からのチャネルを推定するためにセルエッジモバイルデバイスによって使用される技法にかかわらず、基地局１０２は、この情報を使用して、より多くの空間ビームを送信するか、またはより多いビームフォーミング電力利得を供給することによって、セルエッジモバイルデバイスのパフォーマンスを向上させることができる。次に、まずセルごとに単一のＴＸアンテナを有する基地局１０２について、次いでセルごとに複数のＴＸアンテナを有する基地局１０２について、これを達成するための様々な技法を提示する。
【００４９】
図４に戻ると、モバイルデバイス１０８iがセル１０４iのエッジに示されている。この場合、モバイルデバイス１０８iは、セル１０４jから|ｈji|2に比例する干渉を受けるか、またはセル１０４jから干渉を受けない（いかなるモバイルデバイスも、セル１０４j中でモバイルデバイス１０８iと同じ時間周波数リソースブロック上にスケジュールされていない）。この場合、基地局１０２からモバイルデバイス１０８iへの送信は単一のストリームに制限される。
【００５０】
しかしながら、セル１０４jからの干渉がないとき、基地局１０２は、モバイルデバイス１０８iへの送信を支援するためにリンクｈjiを利用することができる。これを達成するために、基地局１０２は、各セル１０４のアンテナ１０６からのスカラーチャネルを仮想ベクトルチャネルのコンポーネントとして扱う。したがって、モバイルデバイス１０８iの場合、
【数１】
0005474968.tif 000002
【００５１】
となる。概念的に、基地局１０２は、各セルが単一のＴＸアンテナ１０６を有する２つのセルを、２つのＴＸアンテナをもつ１つの仮想セルに変換している。実際には、基地局１０２は、モバイルデバイス１０８iへの送信スキームを、基地局によるモバイルデバイス１０８iへの送信をＴＸアンテナ１０６iとＴＸアンテナ１０６jの両方から送信することができるシングルユーザＭＩＳＯスキームに変換する。
【００５２】
このスキームでは、モバイルデバイス１０８iは、１つのＲＸアンテナしか有しないので、１つのストリームによってしかサービスされないことに留意されたい。１つの可能なスキームは、基地局１０２においてチャネルｈiにマッチングすることによってビームフォーミングの送信パフォーマンスを向上させることである。
【００５３】
モバイルデバイス１０８iが複数のＲＸアンテナを有する場合、基地局１０２は、より多くのストリームをモバイルデバイス１０８iに送信するために追加の次元を利用することができる。再び、この事例は、セル１０４ｊ中のいかなるモバイルデバイスも、モバイルデバイス１０８iと同じ時間周波数リソースブロック上で基地局１０２からの送信を受信するようにスケジュールされていないときのものである。実際には、基地局は、モバイルデバイス１０８iへの送信スキームを、基地局によるモバイルデバイス１０８iへの送信をＴＸアンテナ１０６iとＴＸアンテナ１０６jの両方から送信することができるシングルユーザＭＩＭＯスキームに変換する。
【００５４】
モバイルデバイス１０８ｉが、それぞれセル１０４iおよびセル１０４jのＣＱＩをフィードバックする緩い協調スキーム（loose-coordinated scheme）をインプリメントすることができる。各セルのフィードバックされたＣＱＩは、たとえば、線形ＭＭＳＥ、ＭＭＳＥ／ＳＩＣ、ＭＬＤなどに基づいて受信機依存とすることができる。モバイルデバイス１０８ｉからフィードバックされたＣＱＩに基づいて、基地局１０２は、適切なＭＣＳ選択を用いて、モバイルデバイス１０８iに、アンテナ１０６ｉを通してあるストリームを送信し、アンテナ１０６jを通して別のストリームを送信することになる。したがって、モバイルデバイス１０８iに見えるように、モバイルデバイス１０８iが、セル１０６iからの空間ストリームと、セル１０６jからの空間ストリームとの、２つの空間ストリームによってサービスされる等価シングルユーザＭＩＭＯスキームのように見える。モバイルデバイス１０８iは、例として、２つストリームを分離するための線形ＭＭＳＥ受信機、または拡張バージョン、ＭＭＳＥ／ＳＩＣなどを適用できる。このスキームの利点は、スケジューリング以外に、（ビームまたはレート選択に関して）２つのセル間の協調がほとんどないことである。したがって、レガシーシステムからの容易な移行である。
【００５５】
モバイルデバイス１０８ｉがセル１０４ｉからのチャネル行列とセル１０４ｊからのチャネル行列とを一緒に扱う、厳密な協調スキーム（close-coordinated scheme）をインプリメントすることができる。フィードバックされたＣＱＩは、仮想共同セル（virtual joint cell）の共同チャネル行列のレイヤ単位ＣＱＩとして定義される。各データストリームが１つのアンテナ１０６のみから送信される緩い協調スキームとは異なり、このスキームはより一般的である。非プリコードシナリオでは、このスキームは、上述の緩い協調スキームにすることも、または異なるストリーム間の空間対称性を高めるためにアンテナ置換を追加することもできる。プリコードシナリオでは、各ストリームは、セル１０４ｉおよびセル１０４ｊ上のすべてのＴＸアンテナにわたるプリコードベクトルによって事前に乗算される。次いで、プリコードストリームは、送信前にすべてのアンテナ上に追加される。当業者は、このスキームを３つ以上のセルに一般化することができる。
【００５６】
次に、セルごとに複数のＴＸアンテナを有する基地局１０２の様々な概念を提示する。図６を参照しながら、これらの概念を提示する。図６は、基地局が、セル１０４iをサービスするために２つのＴＸアンテナ１０６i1および１０６i2を利用し、セル１０４jをサービスするために２つのＴＸアンテナ１０６j1および１０６j2を利用し、セル１０４kをサービスするために２つのＴＸアンテナ１０６k1および１０６k2を利用することを除いて、図４に示したものと同様の多元接続ワイヤレス通信システムの概念図である。この例では、モバイルデバイス１０８iがセル１０４iのエッジにある。セル１０４jからの干渉がないとき、基地局１０２は、モバイルデバイス１０８iへの送信を支援するためにリンクｈjiを利用することができる。これを達成するために、基地局１０２は、セル１０４iからのチャネル行列とセル１０４jからのチャネル行列とを一緒に扱う。一般に、この場合、ＴＸアンテナの総数はＲＸアンテナの数よりも多くなる。したがって、ビームフォーミング電力利得を高めるために、プリコーディング行列をモバイルデバイス１０８iにおいて選択し、基地局１０２にフィードバックすべきである。一方、有効次元が増加した（ＴＸおよびＲＸアンテナ数の最小値）場合、より多くのストリームをモバイルデバイス１０４iに送信することもできる。
【００５７】
分散型アンテナシステムの概念図を図７に示す。この例では、セル１０４iをサービスするために２つのＴＸアンテナ１０６i1および１０６i2をサポートし、セル１０４jをサービスするために２つのＴＸアンテナ１０６j1および１０６j2をサポートし、セル１０４kをサービスするために２つのＴＸアンテナ１０６k1および１０６k2をサポートする基地局１０２が示されている。図７に示す分散型アンテナシステムは、本開示で前に提示したワイヤレス通信システムの特殊な事例にすぎず、本開示を通して説明する様々な概念をこのシステムに拡張することができる。
【００５８】
次に、セルエッジモバイルデバイス１０８に生じる干渉を最小限に抑えるために空間次元を利用する基地局１０２について、様々な概念を提示する。これらの概念は、まずセルごとに単一のＴＸアンテナを有する基地局１０２について、次いでセルごとに複数のＴＸアンテナを有する基地局１０２について提示する。図８は、セルごとに単一のＴＸアンテナをもつ基地局１０２を有する多元接続ワイヤレス通信システムの概念図である。この例では、セル１０４iのエッジにモバイルデバイス１０８iが示され、セル１０４jのエッジにモバイルデバイス１０８jが示されている。基地局１０２内でセル間協調がない場合、各モバイルデバイス１０８ユーザへの送信は、単入力単出力（ＳＩＳＯ）または単入力多出力（ＳＩＭＯ）送信である。この場合、モバイルデバイス１０８iは、セル１０４jから|ｈji|2に比例する干渉を受け、モバイルデバイス１０８jは、セル１０８iから|ｈji|2に比例する干渉を受ける。
【００５９】
この例では、基地局１０２は、各セル１０４の基地局アンテナ１０６からのスカラーチャネルを仮想ベクトルチャネルのコンポーネントとして扱う。したがって、モバイルデバイス１０８iおよび１０８jについて、それぞれ、
【数２】
0005474968.tif 000003
【００６０】
となる。概念的に、基地局１０２は、各セル１０４が単一のＴＸ送信アンテナ１０６を有する２つセル１０４iおよび１０４jを、２つのＴＸアンテナをもつ１つの仮想セルに変換した。実際には、基地局１０２は、２つのモバイルデバイス１０８iおよび１０８jへの送信スキームを、モバイルデバイスの送信の各々をＴＸアンテナ１０６iおよび１０６jの両方から送信することができるマルチユーザＭＩＭＯスキームに変換した。このスキームの場合、基地局１０２は、各モバイルデバイスにただ１つのストリームを送信することに留意されたい。このスキームでは、チャネル推定値ｈiおよびｈjは、ＦＤＤシステムの場合はモバイルデバイス１０８iおよび１０８jからフィードバックされ、ＴＤＤシステムの場合はチャネル相反性を使用してアップリンクチャネルから推定される。
【００６１】
基地局１０２中のＴＸプロセッサ２２０（図２参照）は、チャネル推定値ｈiおよびｈjを使用して、データストリームをプリコードして移動局１０８iおよび１０８jへの送信用の空間ストリームを生成する。ゼロフォーシング（ＺＦ：zero-forcing）プリコーダ解は、次のように定義される。
【数３】
0005474968.tif 000004
【００６２】
が与えられれば、プリコーディング行列は次のように与えられる。
【数４】
0005474968.tif 000005
【００６３】
ここで、Λは、送信電力を正規化する対角行列である。チャネルが基地局１０２において完全に知られている場合、移動局１０８iはセル１０４jから干渉を受けないことに留意されたい。
【００６４】
ＭＭＳＥプリコーダは、次式で与えられるモバイルデバイス１０４iの信号対発生干渉比を最大化するために使用される。
【数５】
0005474968.tif 000006
【００６５】
解は、次式によって与えられる対応する仮想アップリンク用のＭＭＳＥ受信機に等価である。
【数６】
0005474968.tif 000007
【００６６】
モバイルデバイス１０８が複数のＲＸアンテナを有する多元接続ワイヤレス通信システムでは、ある受信フィルタ処理が適用されると仮定すると、ベクトルｈiおよびｈjが、得られる等価ベクトルチャネルとなる。１つの可能な受信フィルタは、対応するモバイルデバイス用のチャネル行列の主要な左固有ベクトル（dominant left eigen vector）である。
【００６７】
基地局１０２において、プロセッサ２３０は、モバイルデバイス１０８iおよび１０８jへの送信をスケジュールする。この例では、基地局１０２は、モバイルデバイス１０４iおよび１０４jを独立して選択するためのスケジューラ機能を提供する。ビームフォーミング／プリコーディングステージにおいて、選択されたモバイルデバイス１０４iおよび１０４jは共同送信用にペアになることができる。
【００６８】
スケジューリング機能の別のインプリメンテーションは、２つのセルにわたって共同スケジューラを実行することである。このスキームは、パフォーマンスゲインを最大化し、プリコーディングからの電力損失を最小限に抑えることができる。共同スケジューリングスキームの場合、基地局１０２は、両方のセル１０４のうち（ある公平性、たとえば、比例公平に基づき）最大のメトリックをもつモバイルデバイス１０８を最初に選択することができる。このモバイルデバイス１０８があるセル１０４（たとえば、セル１０４i）から選択された場合、次のステップは、他のセル（たとえば、セル１０４j）から互換性のあるモバイルデバイス１０８を選択することである。次のモバイルデバイス１０８を選択する１つの方法は、以下の通りである。
【００６９】
（１）セル１０４iからの選択されたモバイルデバイスのチャネル指向性情報（ＣＤＩ）に対してそのＣＤＩが小さい相関を有するセル１０４jからのすべてのモバイルデバイス１０８のサブセットを識別する。たとえば、モバイルデバイス１０８ｉのＣＤＩは、
【数７】
0005474968.tif 000008
【００７０】
と定義される。
【００７１】
（２）セル１０４jからのモバイルデバイス１０８のこのサブセットから、セル１０４iからのモバイルデバイス１０８iとペアにすべき最大のメトリックをもつモバイルデバイス１０８jを選択する。
【００７２】
このスケジューリングスキームは、各セル１０４から１つのモバイルデバイス１０８を選択するように構成される。１つの変形形態は、この制約を取り去り、また、モバイルデバイス１０８ｉとモバイルデバイス１０８ｉの両方が高い公平性メトリックを有し、ＣＤＩに関して小さい相関を有する限り、両方のモバイルデバイスが同じセル１０４から選択される可能性を与えることである。
【００７３】
後者のスケジューリングスキームの場合、１つのモバイルデバイス１０８に関連するセル識別がそれ以上なく、すべてのモバイルデバイス１０８が同じ共同仮想セルに属する。結果として、セクタ化が冗長になることがある。
【００７４】
次に、セルごとに複数のＴＸアンテナを有する基地局１０２の様々な概念を提示する。図９を参照しながら、これらの概念を提示する。図９は、基地局が、セル１０４iをサービスするために２つのＴＸアンテナ１０６i1および１０６i2を利用し、セル１０４jをサービスするために２つのＴＸアンテナ１０６j1および１０６j2を利用し、セル１０４kをサービスするために２つのＴＸアンテナ１０６k1および１０６k2を利用することを除いて、図８に示したものと同様の多元接続ワイヤレス通信システムの概念図である。この例では、モバイルデバイス１０８iがセル１０４iのエッジにあり、モバイルデバイス１０８jがセル１０４jのエッジにある。セル間協調がない場合、各モバイルデバイス１０８への送信は多入力単一出力（ＭＩＳＯ）または多入力多出力（ＳＩＭＯ）送信である。この場合、セル１０４中の基地局１０２からのビームフォーミングまたは空間多重スキームは、一般にそれ自体のセル１０４内のモバイルデバイス１０８のパフォーマンスを最大化しようと試みる。しかしながら、他のセル１０４中のモバイルデバイス１０８に生じる潜在的な干渉に対処するために、様々な技法を基地局１０２にインプリメントすることができる。これらの技法は、前述のセルごとの単一のＴＸアンテナについて説明した手法の一般化バージョンである。相違は、あるセル１０４中の基地局のアンテナ１０６からあるモバイルデバイス１０８へのチャネルが、単一のＲＸアンテナをもつモバイルデバイス１０８の場合はＭＩＳＯチャネルになり、複数のＲＸアンテナをもつモバイルデバイス１０８の場合はＭＩＭＯチャネルになることである。
【００７５】
最初に、単一のＲＸアンテナを有するモバイルデバイスに関して様々な概念を説明する。この構成では、各セル１０４の基地局アンテナ１０６からのベクトルチャネルを仮想ベクトルチャネルのコンポーネントとして扱う。したがって、モバイルデバイス１０８iおよび１０８jについて、チャネル推定値は、それぞれ、
【数８】
0005474968.tif 000009
【００７６】
となる。実際には、２つモバイルデバイス１０４iおよび１０４jへの送信スキームを、基地局１０２がモバイルデバイス１０４iおよび１０４jの各々に対して両方のセル１０４用のＴＸアンテナアレイ１０６を送信することができるマルチユーザＭＩＭＯスキームに変換した。モバイルデバイス１０８ごとに単一のＲＸアンテナの場合、送信スキームは、セルごとに単一のＴＸアンテナシナリオについて前述した送信スキーム、たとえば、ＺＦまたはＭＭＳＥプリコーダと同じとすることができる。さらに、モバイルデバイス１０８の総数が両方のセル１０４上のＴＸアンテナ１０６の総数以下である限り、基地局１０２は、セル１０４ごとに２つ以上のモバイルデバイス１０８をスケジュールすることができる。上述の送信プリコーダ（たとえば、ＺＦまたはＭＭＳＥ）は依然として適用する。
【００７７】
次に、複数のＲＸアンテナを有するモバイルデバイスに関して様々な概念を説明する。モバイルデバイス１０８ごとに複数のＲＸアンテナの場合、同じく、ある受信フィルタ処理が適用されると仮定すると、ベクトルｈiおよびｈjが、得られる等価ベクトルチャネルとなる。１つの可能な受信フィルタは、モバイルデバイス１０８i用のｈiおよびモバイルデバイス１０８j用のｈjが主要な右固有ベクトルのスケーリングされたバージョンである対応するモバイルデバイス１０８用のチャネル行列の主要な左固有ベクトルである。さらに、基地局１０２は、モバイルデバイス１０８ごとに２つ以上のストリームをスケジュールすることができる。たとえば、モバイルデバイス１０８iがＭ個のストリームを要求しようとしている場合、ｍ番目のチャネルベクトルがｍ番目の主要な右固有ベクトルであるＭ個の等価チャネルベクトルを基地局１０２に報告することができる。次いで、基地局１０２において、プリコーダは、各等価チャネルベクトルを仮想モバイルデバイス１０８と仮定し、次いで、上記と同じプリコーディングスキームを適用する。ストリーム間で対称性／平衡／ロバストネスを達成するために、１つのモバイルデバイス１０８をサービスしているストリームの間でアンテナ置換を適用することができる。さらに、サービスするモバイルデバイス１０８の総数が両方のセル１０４上のＴＸアンテナ１０６の総数以下である限り、基地局１０２はセルごとに２つ以上のモバイルデバイス１０８をスケジュールすることができる。上述の送信プリコーダ（たとえば、ＺＦまたはＭＭＳＥ）は依然として適用する。
【００７８】
前に説明したように、基地局１０２中のプロセッサ２３０（図示せず）は、モバイルデバイス１０８を選択し、スケジューリング機能を実行するように構成できる。モバイルデバイス１０８ごとにストリームが１つしかないと仮定し、スケジュールされるモバイルデバイス１０８の数がセル１０４の数に等しい場合、共同スケジューリング／ユーザ選択アルゴリズムは、本質的に、単一のＴＸ送信アンテナをもつモバイルデバイスについて前述したアルゴリズムと同じものであり、基地局１０２は、（１）セルごとに順次スケジューラを実行することによってセル１０４ごとに常に１つのモバイルデバイス１０８を選択するか、または（２）異なるセル１０４中のすべてのモバイルデバイス１０８上で単一のスケジューラを実行することによってすべてのセル１０４を共同セルとして扱うことができる。
【００７９】
基地局１０２が、セル１０４の数より多くのモバイルデバイス１０８をサービスし、および／またはモバイルデバイス１０８ごとに２つ以上のストリームをサービスする柔軟性を有する場合、それぞれ報告される等価チャネルベクトルを仮想モバイルデバイスとして扱い、次いで仮想ユーザ領域にわたってスケジューリングアルゴリズムを適用することによって上述のスケジューリングアルゴリズムを拡張することができる。（１）各セル１０４から少なくとも１つのモバイルデバイス１０４を選択できるように、および／または（２）モバイルデバイス１０８ごとに多くてＴ個のストリーム（たとえば、Ｔ＝２）をサービスできるように、追加の制約をスケジューリングアルゴリズムに入れることができる。さらに、モバイルデバイス１０８上で送信されるストリームの総数は、両方のセル１０４上のＴＸ送信アンテナの総数以下であるべきである。概して、モバイルデバイス１０８が地理的に適切に分離されている場合、プリコーディング電力損失を最小限に抑えながらより多くのマルチユーザダイバーシティ利得を実現することができるので、それぞれ２つ以上のストリームをもつより少ないモバイルデバイス１０８を選択するよりも、より多くの１ストリームモバイルデバイス１０８を選択するほうが良いことがある。
【００８０】
プリコーディングの観点から、図９に関して提示した概念は、両方のセル１０４からのアンテナ１０６を単一のアンテナアレイとして扱う。したがって、送信スキームは、本質的に、シングル仮想セルマルチユーザＭＩＭＯシステムになる。代替的に、低レベル協調スキームを使用して、ビームフォーミングを各セル１０４において局所的に分散した状態に保つことができる。このスキームは、レガシーシステムアーキテクチャを最小限の変化に保つという利点を有する。一方、図９に関して提示した概念は、より有効なビームフォーミングを提供し、空間ヌル化に対してより高い自由度を提供するために、より多くの数のＴＸアンテナ１０６をもつアンテナアレイを形成する。
【００８１】
単一のＲＸアンテナをもつモバイルデバイス１０８について低レベル協調スキームの様々な概念を提示する。この例では、モバイルデバイス１０８iの場合、ｈiiおよびｈjiは、共同チャネルを形成する代わりに分離状態に保たれる。モバイルデバイス１０８iに対する信号は、セル１０４iから送信される、すなわち、ベクトルチャネルｈiiのみを経る。一方、モバイルデバイス１０８iは、依然として、同一チャネル干渉のためにｈjiを介してセル１０４jからくる干渉を受けることになる。しかしながら、セル１０４iとセル１０４jの両方は同じ基地局１０２に属するので、基地局１０２は、サービスするモバイルデバイス１０８jとビームフォーミングベクトルとを選択するときに、モバイルデバイス１０８iに生じる干渉を考慮に入れることができる。同様に、基地局１０２は、サービスするモバイルデバイス１０８iとビームフォーミングベクトルとを選択するときに、モバイルデバイス１０８jに生じる干渉を考慮に入れることができる。
【００８２】
１つのスキームは、次のように定義される信号対発生干渉比を最大化するビームフォーミング／プリコーディングベクトルを選択することである。
【数９】
0005474968.tif 000010
【００８３】
解は、次のように対応する仮想アップリンクのＭＭＳＥ受信フィルタに等価である。
【数１０】
0005474968.tif 000011
【００８４】
雑音電力が小さく、無視できる場合、ＺＦプリコーダ解は次のように定義され、
【数１１】
0005474968.tif 000012
【００８５】
モバイルデバイス１０４iのプリコーディングベクトルは次のように与えられる、
【数１２】
0005474968.tif 000013
【００８６】
ここで、Λは、送信電力を正規化する対角行列である。
【００８７】
次に、複数のＲＸアンテナをもつモバイルデバイス１０８について低レベル協調スキームの様々な概念を提示する。この例では、モバイルデバイス１０８ごとに複数のＲＸアンテナがある場合、同じく、ある受信フィルタ処理が適用されると仮定すると、ベクトルｈiiが、得られる等価ベクトルチャネルとなる。１つの可能な受信フィルタは、ｈiiが本質的に主要は右固有ベクトルのスケーリングされたバージョンである場合、対応するユーザのチャネル行列の主要な左固有ベクトルである。
【００８８】
ここで考えられるチャネル行列は、そのサービングセル１０４からのモバイルデバイス１０８へのチャネル行列、Ｈiiであることに留意されたい。本質的に、
【数１３】
0005474968.tif 000014
【００８９】
である。同様に、非サービングセル１０４からの等価チャネルは、
【数１４】
0005474968.tif 000015
【００９０】
によって同じ受信フィルタを適用することによって得られる。
【００９１】
さらに、基地局１０２は、セル１０４中のモバイルデバイス１０４ごとに２つ以上のストリームを送信することができる。ｍ番目のストリームの場合、等価チャネルベクトル
【数１５】
0005474968.tif 000016
【００９２】
がフィードバックされるのと同様に、
【数１６】
0005474968.tif 000017
【００９３】
もフィードバックされるべきである。同様のＺＦおよびＭＭＳＥプリコーダを定義することができる。たとえば、ＺＦプリコーダの場合、セル１０４において次式を定義した場合、
【数１７】
0005474968.tif 000018
【００９４】
モバイルデバイス１０８iのｍ番目のストリームのプリコーディングベクトルは、次のように与えられる。
【数１８】
0005474968.tif 000019
【００９５】
モバイルデバイス１０８ごとにサービスされるストリームの数Ｓは、ＲＸアンテナの数に等しくすることができる。それにもかかわらず、通常は、少なくとも１つの受信次元（自由度）が残留ユーザ間干渉の干渉抑圧のために利用可能であるようにＳを選択すべきである。さらに、モバイルデバイス１０８の総数が両方のセル上のＴＸアンテナの総数以下である限り、基地局１０２はセルごとに２つ以上のモバイルデバイス１０８をスケジュールすることができる。上述の送信プリコーダ（たとえば、ＺＦまたはＭＭＳＥ）は依然として適用する。
【００９６】
スケジュールの観点から、基地局１０２は、モバイルデバイス１０８を独立して選択するために、各セル１０４用のスケジューラを実行する。各セル１０４に対して決定が行われた後、決定は、ネイバーセル１０４用のスケジューラに伝搬される。次いで、各スケジューラは、ネイバーセル１０４がサービスすべきモバイルデバイス（またはストリーム）を調査し、それらのモバイルデバイス１０８（またはストリーム）が現在のセル１０４からのチャネルベクトルを報告する場合、基地局１０２は、それらのモバイルデバイス１０８（またはストリーム）に生じる干渉を最小限に抑えるために上述のビームフォーミングスキームを実行する。
【００９７】
同様に、スケジューラは、セル１０４上のすべてのモバイルデバイス１０８を一緒に考慮することによって改善できる。基地局１０２は、セル１０４のうち（ある公平性、たとえば、比例公平に基づく）最大のメトリックをもつモバイルデバイス１０８（またはストリーム）を最初に選択することができる。次のモバイルデバイス１０８を選択する１つの方法は、以下の通りである。  
（１）すべての残りのモバイルデバイス１０８（ストリーム）について、選択したモバイルデバイス１０８（ストリーム）のＣＤＩに対してそのＣＤＩが小さい相関を有するモバイルデバイス１０８のサブセットを識別する。  
（２）モバイルデバイス１０８（またはストリーム）のこのサブセットから、モバイルデバイス１０８（またはストリーム）とペアにすべき最大のメトリックをもつモバイルデバイス１０８（またはストリーム）を選択する。  
（３）すべてのモバイルデバイス１０８（またはストリーム）が選択されるまで処理を継続する。
【００９８】
このユーザ選択手順は、プリコーディングによる電力損失を最小限に抑えるのに役立つ。セルごとにただ１つのモバイルデバイス１０８を限定し、および／またはモバイルデバイス１０８のユーザごとに多くてＴ個のストリーム（たとえば、Ｔ＝２）を限定するために、および／または、本質的に適応型ＦＦＲである、新しい互換性のあるモバイルデバイス１０８がある場合に１つまたは複数のセル１０４を遮断可能にできるように、いくつかの制限を適用することができる。
【００９９】
上記の手法では、モバイルデバイス１０８の選択レベルにおいて低レベル協調のみが行われる。基地局１０２は、依然として各セル１０４のビームフォーミング／プリコーディングベクトルを別々に決定する。もう１つの協働レベルは、同じフィードバックチャネルに基づいて、１つのモバイルデバイス１０８内でセル１０４上のプリコーディングベクトルを一緒に選択することである。この手法は、様々な基準をもつ有限サイズのプリコーディングコードブックを用いてインプリメントできる。例として、たとえば、次のように総レート、またはモバイルデバイスレートの調和平均を最大化する。
【数１９】
0005474968.tif 000020
【０１００】
この手法は、各ユーザの干渉電力に関する追加フィードバックを必要とする。
【０１０１】
代替的に、ハイブリッド手法を使用することができる。例として、２つのモバイルデバイス１０８の場合、高ジオメトリモバイルデバイス１０８が最初に閉形式ＺＦ解に基づいてプリコーディングベクトルを選択し、低ジオメトリモバイルデバイス１０８が有限コードブックからプリコーディングベクトルを選択する。
【０１０２】
上記の説明では、フィードバック目的のために等価チャネルベクトルを得るために受信フィルタ（たとえば、左固有ベクトル）が適用される。さらに、基地局１０２が完全チャネル状態情報を有する場合、モバイルデバイス側のデータは、説明した受信フィルタを適用した後はユーザ間干渉を受けなくなる。しかしながら、量子化誤差、チャネル変動および／またはチャネル推定誤差により、モバイルデバイス１０８が信号を受信する時間までには、モバイルデバイス１０８によって観測されるチャネルが、基地局１０２が仮定したチャネルとは異なることがある。この問題に対処する１つの手法は、主要な左固有ベクトルを使用し続けることである。移動局１０８は、チャネル不整合による残留干渉をヌルアウトするためにＭＭＳＥフィルタを適用することができる。具体的には、モバイルデバイス１０８ごとにただ１つのストリームをサービスする場合、ＲＸアンテナアレイは、干渉抑圧目的のために残りのＮ−１個のアンテナを使用することができる。
【０１０３】
分散型アンテナシステムの概念図を図１０に示す。この例では、セル１０４iをサービスするために２つのＴＸアンテナ１０６i1および１０６i2をサポートし、セル１０４jをサービスするために２つのＴＸアンテナ１０６j1および１０６j2をサポートし、セル１０４kをサービスするために２つのＴＸアンテナ１０６k1および１０６k2をサポートする基地局１０２が示されている。図１０に示す分散型アンテナシステムは、本開示で前に提示したワイヤレス通信システムの特殊な事例にすぎず、本開示を通して説明する様々な概念をこのシステムに拡張することができる。
【０１０４】
当業者は、本開示全体にわたって提示する様々な概念を３つ以上のセルに一般化することができる。
【０１０５】
要するに、処理システム２１３は、第１のアンテナシステムを通して第１のセルのためのカバレージを提供し、第２のアンテナシステムを通して第２のセルのためのカバレージを提供するための手段である。アンテナシステムは、単一の指向性アンテナ、複数のアンテナ素子、またはＭＩＭＯ、ＭＩＳＯ、ＳＩＳＯ構成を備えることができる。
【０１０６】
処理システム２１３はまた、第１および第２のアンテナシステムを使用した第１のセル中のモバイルデバイスへの送信用にデータを処理するための手段である。処理システム２１３は、送信用にデータを処理するために第１のアンテナシステムとモバイルデバイスとの間の第１のチャネル推定値と、第２のアンテナシステムとモバイルデバイスとの間の第２のチャネル推定値とを使用する。
【０１０７】
処理システム２１３は、モバイルデバイスから第１および第２のチャネル推定値を受信するための手段である。処理システム２１３は、モバイルデバイスが第１および第２のアンテナシステムの両方から送信される基準信号から推定値を計算することを可能にするための手段を提供する。これは、（１）それぞれ、第１および第２のセルへの送信用に、衝突しない第１および第２の基準信号を生成し、モバイルデバイスが第２の基準信号から第２のチャネル推定値を生成できるように第１のセルへの送信用にデータをパンクチャすることによって、または（２）それぞれ、第１および第２のセルへの送信用に、衝突する第１および第２の基準信号を生成し、モバイルデバイスが第２の基準信号から第２のチャネル推定値を生成できるように第１の基準信号をパンクチャすることによって達成される。
【０１０８】
処理システムは、（１）より多くの空間ビームを送信するか、またはより高いビームフォーミング電力利得を提供することによってモバイルデバイスのパフォーマンスを向上させるため、および／または（２）モバイルデバイスが受ける干渉を最小限に抑えるために、第１のセル中のモバイルデバイスへの送信を協調し、空間次元を利用することができる。後者の場合、処理システムは、第１のセル中のモバイルデバイスとの共同送信用に第２のセル中の第２のモバイルデバイスを選択するための手段を提供し、第２のモバイルデバイスの選択は、干渉を低減することに基づく。
【０１０９】
図１１は、装置の機能の一例を示すブロック図である。装置１１００は、第１のアンテナシステムを通して第１のセルのためのカバレージを提供するためのモジュール１１０２と、第２のアンテナシステムを通して第２のセルのためのカバレージを提供するためのモジュール１１０４と、第１および第２のアンテナシステムを使用した第１のセル中のモバイルデバイスへの送信用にデータを処理するためのモジュール１１０６とを含む。
【０１１０】
本明細書で説明する様々な態様または特徴は、標準のプログラミングおよび／またはエンジニアリング技法を使用した方法、装置、または製造品としてインプリメントできる。本明細書で使用する「製造品」という用語は、任意のコンピュータ可読デバイス、キャリア、または媒体からアクセス可能なコンピュータプログラムを包含するものとする。たとえば、コンピュータ可読媒体は、磁気記憶デバイス（たとえば、ハードディスク、フロッピー（登録商標）ディスク、磁気ストリップなど）、光ディスク（たとえば、コンパクトディスク（ＣＤ）、デジタル多用途ディスク（ＤＶＤ）など）、スマートカード、およびフラッシュメモリデバイス（たとえば、ＥＰＲＯＭ、カード、スティック、キードライブなど）を含むことができるが、これらに限定されない。さらに、本明細書で説明する様々な記憶媒体は、情報を記憶するための１つまたは複数のデバイスおよび／または他の機械可読媒体を表すことができる。「機械可読媒体」という用語は、コンピュータ実行コードを有するコンピュータプログラム製品、ワイヤレスチャネル、ならびに（１つまたは複数の）命令および／またはデータを記憶、含有、および／または搬送することが可能な様々な他の媒体を含むことができるが、これらに限定されない。さらに、コンピュータプログラム製品は、コンピュータに、本明細書で説明した機能を実行させるように動作可能な１つまたは複数の命令またはコードを有するコンピュータ可読媒体を含むことができる。
【０１１１】
さらに、本明細書で開示する態様に関して説明する方法またはアルゴリズムのステップおよび／またはアクションは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体中に常駐することができる。例示的な記憶媒体は、プロセッサが記憶媒体から情報を読むことができ、記憶媒体に情報を書き込むことができるようにプロセッサに結合できる。代替として、記憶媒体はプロセッサに一体化することができる。さらに、いくつかの態様では、プロセッサおよび記憶媒体はＡＳＩＣ中に常駐することができる。さらに、ＡＳＩＣはユーザ端末中に常駐することができる。代替として、プロセッサおよび記憶媒体は、ユーザ端末中に個別コンポーネントとして常駐することができる。さらに、いくつかの態様では、方法またはアルゴリズムのステップおよび／またはアクションは、コンピュータプログラム製品に組み込むことができる、機械可読媒体および／またはコンピュータ可読媒体上のコードおよび／または命令の１つまたは任意の組合せ、あるいはそのセットとして常駐することができる。
【０１１２】
上記の開示は例示的な態様および／または態様について論じたが、添付の特許請求の範囲によって定義された、説明した態様および／または態様の範囲から逸脱することなく、様々な変更および修正を本明細書で行うことができること留意されたい。したがって、説明した態様は、添付の特許請求の範囲の範囲内に入るすべてのそのような改変形態、変更形態および変形形態を包含するものとする。さらに、説明した態様および／または態様の要素が単数形で説明または請求されていることがあるが、単数形に限定することが明示的に述べられていない限り、複数形が企図される。さらに、態様および／または態様の全部または一部は、別段の記述がない限り、他の態様および／または態様の全部または一部とともに利用できる。「含む（include）」という用語は、発明を実施するための形態または特許請求の範囲のいずれかで使用される限り、「備える（comprising）」という用語が使用時に請求項における移行語と解釈されるので「備える（comprising）」と同様に包括的なものとする。
【０１１３】
本明細書で開示した実施形態に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェアコンポーネント、あるいは本明細書で説明した機能を実行するように設計されたそれらの任意の組合せを用いてインプリメントまたは実行できる。汎用プロセッサはマイクロプロセッサとすることができるが、代替として、プロセッサは、任意の従来のプロセッサ、コントローラ、マイクロコントローラ、または状態機械とすることができる。プロセッサはまた、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としてインプリメントできる。さらに、少なくとも１つのプロセッサは、上述のステップおよび／またはアクションの１つまたは複数を実行するように動作可能な１つまたは複数のモジュールを備えることができる。
【０１１４】
さらに、本明細書で開示する態様に関して説明する方法またはアルゴリズムのステップおよび／またはアクションは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体中に常駐することができる。例示的な記憶媒体は、プロセッサが記憶媒体から情報を読むことができ、記憶媒体に情報を書き込むことができるようにプロセッサに結合できる。代替として、記憶媒体はプロセッサに一体化することができる。さらに、いくつかの態様では、プロセッサおよび記憶媒体はＡＳＩＣ中に常駐することができる。さらに、ＡＳＩＣはユーザ端末中に常駐することができる。代替として、プロセッサおよび記憶媒体は、ユーザ端末中に個別コンポーネントとして常駐することができる。さらに、いくつかの態様では、方法またはアルゴリズムのステップおよび／またはアクションは、コンピュータプログラム製品に組み込むことができる、機械可読媒体および／またはコンピュータ可読媒体上のコードおよび／または命令の１つまたは任意の組合せ、あるいはそのセットとして常駐することができる。
【０１１５】
１つまたは複数の態様では、説明した機能はハードウェア、ソフトウェア、ファームウェア、またはそれらの任意の組合せでインプリメントできる。ソフトウェアでインプリメントする場合、機能は、１つまたは複数の命令またはコードとしてコンピュータ可読媒体上で記憶または送信できる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の利用可能な媒体でよい。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または命令もしくはデータ構造の形態の所望のプログラムコードを担持または記憶するために使用でき、コンピュータによってアクセスできる任意の他の媒体を備えることができる。また、いかなる接続もコンピュータ可読媒体と呼ぶことができる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピーディスク（disk）およびブルーレイディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【０１１６】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。
以下に本願出願の当初の特許請求の範囲について記載された発明を付記する。
［Ｃ１］
第１のアンテナシステムを通して第１のセルのためのカバレージを提供するための手段と、
第２のアンテナシステムを通して第２のセルのためのカバレージを提供するための手段と、
前記第１および第２のアンテナシステムを使用した前記第１のセル中のモバイルデバイスへの送信用にデータを処理するための手段と、
を備える、ワイヤレス通信のための装置。
［Ｃ２］
前記データを処理するための手段は、送信用に前記データを処理するために前記第１のアンテナシステムと前記モバイルデバイスとの間の第１のチャネル推定値と、前記第２のアンテナシステムと前記モバイルデバイスとの間の第２のチャネル推定値とを使用する、
［Ｃ１］に記載の装置。
［Ｃ３］
前記モバイルデバイスから前記第１および第２のチャネル推定値を受信するための手段をさらに備える、
［Ｃ２］に記載の装置。
［Ｃ４］
前記第１および第２のセルへの送信用に、それぞれ、衝突しない第１および第２の基準信号を生成するための手段と、
前記モバイルデバイスが前記第２の基準信号から前記第２のチャネル推定値を生成できるように前記第１のセルへの送信用にデータをパンクチャするための手段と、
をさらに備える、［Ｃ２］に記載の装置。
［Ｃ５］
前記第１および第２のセルへの送信用に、それぞれ、衝突する第１および第２の基準信号を生成するための手段と、
前記モバイルデバイスが前記第２の基準信号から前記第２のチャネル推定値を生成できるように前記第１の基準信号をパンクチャするための手段と、
をさらに備える、［Ｃ２］に記載の装置。
［Ｃ６］
前記データを処理するための手段は、前記第１および第２のアンテナシステムを通して前記モバイルデバイスに複数の空間ストリームを送信するために前記データを処理する、
［Ｃ１］に記載の装置。
［Ｃ７］
前記データを処理するための手段は、前記第１および第２のアンテナシステムを通して前記モバイルデバイスに前記データを送信するためのビームパターンを形成するために前記データを処理する、
［Ｃ１］に記載の装置。
［Ｃ８］
前記データを処理するための手段は、干渉を低減するために空間次元を利用する、
［Ｃ１］に記載の装置。
［Ｃ９］
前記第１のセル中の前記モバイルデバイスとの共同送信用に前記第２のセル中の第２のモバイルデバイスを選択するための手段をさらに備え、前記第２のモバイルデバイスの前記選択は、前記干渉を低減することに基づく、
［Ｃ８］に記載の装置。
［Ｃ１０］
前記データを処理するための手段は、前記モバイルデバイスと前記第１および第２のアンテナシステムとの間のチャネル状態に基づいて前記データをプリコードする、
［Ｃ１］に記載の装置。
［Ｃ１１］
第１のアンテナシステムを通して第１のセルのためのカバレージを提供することと、
第２のアンテナシステムを通して第２のセルのためのカバレージを提供することと、
前記第１および第２のアンテナシステムを使用した前記第１のセル中のモバイルデバイスへの送信用にデータを処理することと、
を備えるワイヤレス通信の方法。
［Ｃ１２］
前記データの処理は、送信用に前記データを処理するために前記第１のアンテナシステムと前記モバイルデバイスとの間の第１のチャネル推定値と、前記第２のアンテナシステムと前記モバイルデバイスとの間の第２のチャネル推定値とを使用することを備える、
［Ｃ１１］に記載の方法。
［Ｃ１３］
前記モバイルデバイスから前記第１および第２のチャネル推定値を受信することをさらに備える、
［Ｃ１２］に記載の方法。
［Ｃ１４］
前記第１および第２のセルへの送信用に、それぞれ、衝突しない第１および第２の基準信号を生成することと、
前記モバイルデバイスが前記第２の基準信号から前記第２のチャネル推定値を生成できるように前記第１のセルへの送信用にデータをパンクチャすることと、
をさらに備える、［Ｃ１２］に記載の方法。
［Ｃ１５］
前記第１および第２のセルへの送信用に、それぞれ、衝突する第１および第２の基準信号を生成することと、
前記モバイルデバイスが前記第２の基準信号から前記第２のチャネル推定値を生成できるように前記第１の基準信号をパンクチャすることと、
をさらに備える、［Ｃ１２］に記載の方法。
［Ｃ１６］
前記データの処理は、前記第１および第２のアンテナシステムを通して前記モバイルデバイスに複数の空間ストリームを送信するために前記データを処理することを備える、
［Ｃ１１］に記載の方法。
［Ｃ１７］
前記データの処理は、前記第１および第２のアンテナシステムを通して前記モバイルデバイスに前記データを送信するためのビームパターンを形成するために前記データを処理することを備える、
［Ｃ１１］に記載の方法。
［Ｃ１８］
前記データの処理は、干渉を低減するために空間次元を利用することを備える、
［Ｃ１１］に記載の方法。
［Ｃ１９］
前記第１のセル中の前記モバイルデバイスとの共同送信用に前記第２のセル中の第２のモバイルデバイスを選択することをさらに備え、前記第２のモバイルデバイスの前記選択は、前記干渉を低減することに基づく、
［Ｃ１８］に記載の方法。
［Ｃ２０］
前記データの処理は、前記モバイルデバイスと前記第１および第２のアンテナシステムとの間のチャネル状態に基づいて前記データをプリコードすることを備える、
［Ｃ１１］に記載の方法。
［Ｃ２１］
第１のアンテナシステムを通して第１のセルのためのカバレージを提供し、
第２のアンテナシステムを通して第２のセルのためのカバレージを提供し、
前記第１および第２のアンテナシステムを使用した前記第１のセル中のモバイルデバイスへの送信用にデータを処理する、
ように構成された処理システム
を備える、ワイヤレス通信のための装置。
［Ｃ２２］
前記処理システムは、送信用にデータを処理するために前記第１のアンテナシステムと前記モバイルデバイスとの間の第１のチャネル推定値と、前記第２のアンテナシステムと前記モバイルデバイスとの間の第２のチャネル推定値とを使用して前記データを処理するようにさらに構成された、
［Ｃ２１］に記載の装置。
［Ｃ２３］
前記処理システムは、前記モバイルデバイスから前記第１および第２のチャネル推定値を受信するようにさらに構成された、
［Ｃ２２］に記載の装置。
［Ｃ２４］
前記処理システムは、
前記第１および第２のセルへの送信用に、それぞれ、衝突しない第１および第２の基準信号を生成し、
前記モバイルデバイスが前記第２の基準信号から前記第２のチャネル推定値を生成できるように前記第１のセルへの送信用にデータをパンクチャする、
ようにさらに構成された、［Ｃ２２］に記載の装置。
［Ｃ２５］
前記処理システムは、
前記第１および第２のセルへの送信用に、それぞれ、衝突する第１および第２の基準信号を生成し、
前記モバイルデバイスが前記第２の基準信号から前記第２のチャネル推定値を生成できるように前記第１の基準信号をパンクチャする、
ようにさらに構成された、［Ｃ２２］に記載の装置。
［Ｃ２６］
前記処理システムは、前記第１および第２のアンテナシステムを通して前記モバイルデバイスに複数の空間ストリームを送信するためにデータを処理するようにさらに構成された、
［Ｃ２１］に記載の装置。
［Ｃ２７］
前記処理システムは、前記第１および第２のアンテナシステムを通して前記モバイルデバイスに前記データを送信するためのビームパターンを形成するためにデータを処理するようにさらに構成された、
［Ｃ２１］に記載の装置。
［Ｃ２８］
前記処理システムは、干渉を低減するために空間次元を利用するデータを処理するようにさらに構成された、
［Ｃ２１］に記載の装置。
［Ｃ２９］
前記処理システムは、前記第１のセル中の前記モバイルデバイスとの共同送信用に前記第２のセル中の第２のモバイルデバイスを選択するようにさらに構成され、前記第２のモバイルデバイスの前記選択が、前記干渉を低減することに基づく、
［Ｃ２８］に記載の装置。
［Ｃ３０］
前記処理システムは、前記モバイルデバイスと前記第１および第２のアンテナシステムとの間のチャネル状態に基づいてデータをプリコードすることによって前記データを処理するようにさらに構成された、
［Ｃ２１］に記載の装置。
［Ｃ３１］
第１のアンテナシステムを通して第１のセルのためのカバレージを提供するためのコードと、
第２のアンテナシステムを通して第２のセルのためのカバレージを提供するためのコードと、
前記第１および第２のアンテナシステムを使用した前記第１のセル中のモバイルデバイスへの送信用にデータを処理するためのコードと、
を備えるコンピュータ可読媒体
を備えるコンピュータプログラム製品。
［Ｃ３２］
前記データを処理するためのコードは、送信用に前記データを処理するために前記第１のアンテナシステムと前記モバイルデバイスとの間の第１のチャネル推定値と、前記第２のアンテナシステムと前記モバイルデバイスとの間の第２のチャネル推定値とを使用する、
［Ｃ３１］に記載のコンピュータプログラム製品。
［Ｃ３３］
前記命令は、前記モバイルデバイスから前記第１および第２のチャネル推定値を受信するためのコードをさらに備える、
［Ｃ３２］に記載のコンピュータプログラム製品。
［Ｃ３４］
前記命令は、
前記第１および第２のセルへの送信用に、それぞれ、衝突しない第１および第２の基準信号を生成するためのコードと、
前記モバイルデバイスが前記第２の基準信号から前記第２のチャネリング推定値を生成できるように前記第１のセルへの送信用にデータをパンクチャするためのコードと、
をさらに備える、［Ｃ３２］に記載のコンピュータプログラム製品。
［Ｃ３５］
前記命令は、
前記第１および第２のセルへの送信用に、それぞれ、衝突する第１および第２の基準信号を生成するためのコードと、
前記モバイルデバイスが前記第２の基準信号から前記第２のチャネリング推定値を生成できるように前記第１の基準信号をパンクチャするためのコードと、
をさらに備える、［Ｃ３２］に記載のコンピュータプログラム製品。
［Ｃ３６］
データを処理するための前記コードは、前記第１および第２のアンテナシステムを通して前記モバイルデバイスに複数の空間ストリームを送信するために前記データを処理する、
［Ｃ３１］に記載のコンピュータプログラム製品。
［Ｃ３７］
データを処理するための前記コードが、前記第１および第２のアンテナシステムを通して前記モバイルデバイスに前記データを送信するためのビームパターンを形成するために前記データを処理する、
［Ｃ３１］に記載のコンピュータプログラム製品。
［Ｃ３８］
データを処理するための前記コードが、干渉を低減するために空間次元を利用する、
［Ｃ３１］に記載のコンピュータプログラム製品。
［Ｃ３９］
前記命令は、前記第１のセル中の前記モバイルデバイスとの共同送信用に前記第２のセル中の第２のモバイルデバイスを選択するためのコードをさらに備え、前記第２のモバイルデバイスの前記選択は、前記干渉を低減することに基づく、
［Ｃ３８］に記載のコンピュータプログラム製品。
［Ｃ４０］
前記データを処理するためのコードは、前記モバイルデバイスと前記第１および第２のアンテナシステムとの間のチャネル状態に基づいて前記データをプリコードする、
［Ｃ３１］に記載のコンピュータプログラム製品。
【図１】
0005474968.tif 000021
【図２】
0005474968.tif 000022
【図３】
0005474968.tif 000023
【図４】
0005474968.tif 000024
【図５】
0005474968.tif 000025
【図６】
0005474968.tif 000026
【図７】
0005474968.tif 000027
【図８】
0005474968.tif 000028
【図９】
0005474968.tif 000029
【図１０】
0005474968.tif 000030
【図１１】
0005474968.tif 000031